(57)【特許請求の範囲】
【請求項１】
カード挿入口を形成するフレームにカード挿入方向に形成したカード挿入・取出用の凹部を設け、上記凹部を介してカードを上記カード挿入口よりカード停止位置まで移動させ、その後カードを引き抜くように構成してなる手動式カードリーダにおいて、上記カード停止位置にあるカードをカード挿入方向後方に排出するためのカード排出口と、上記カードを上記カード停止位置から後方の上記カード排出口へ搬送する搬送手段及び該搬送手段を駆動する駆動手段と、上記カードを上記カード停止位置に位置決めする位置決め手段とを設け、上記カード挿入口に戻さないカードあるいは手動で回収されないカードは上記搬送手段及び駆動手段の駆動により上記カード排出口から後方排出することを特徴とする手動式カードリーダ。
【請求項２】
カード挿入口を形成するフレームにカード挿入方向に形成したカード挿入・取出用の凹部を設け、上記凹部を介してＩＣカードを上記カード挿入口よりカード停止位置まで移動させ、接点ブロック上の接触子を上記カードのコンタクト端子パターンに接触させてデータ通信し、その後ＩＣカードを引き抜くように構成してなる手動式ＩＣカードリーダにおいて、上記カード停止位置にあるＩＣカードをカード挿入方向後方に排出するためのカード排出口と、上記ＩＣカードを上記カード停止位置から後方の上記カード排出口へ搬送する搬送手段及び該搬送手段を駆動する駆動手段と、上記ＩＣカードを上記カード停止位置に位置決めする位置決め手段と、上記接点ブロックを上記ＩＣカードのコンタクト端子パターンに接触離脱可能に移動させる移動手段とを設け、上記カード挿入口に戻さないカードあるいは手動で回収されないカードは上記搬送手段及び駆動手段の駆動により上記カード排出口から後方排出することを特徴とする手動式ＩＣカードリーダ。
【請求項３】
上記位置決め手段は、上記ＩＣカードの側縁に当接してカードを停止させる当接位置と該当接位置から退避して上記ＩＣカードの後方搬送を許容する許容位置との間を移動可能な位置決めピンであることを特徴とする請求項２記載の手動式ＩＣカードリーダ。
【発明の詳細な説明】
【０００１】
【発明の属する技術分野】
本発明は、手動式カードリーダ及び手動式ＩＣカードリーダに関する。さらに詳述すると、本発明は、手動でカードの挿入・引抜きをしてデータの読取りと記録を行う手動式のカードリーダの改良に関する。
【０００２】
【従来の技術】
手動式カードリーダの１つに、カードの挿入・引抜きを手動によって行うものがある。この場合、図５に示すように、手動式カードリーダ１０１は、カード１０２の挿入・引抜きによって磁気ヘッド１０３でカード１０２の磁気データを読み取ることができる。
【０００３】
一方、図６に示すような手動式ＩＣカードリーダ１０４では、カード１０２とデータ通信をする際、所定位置に停止したカード１０２に接点ブロック１０５上の接触子１０６を弾性接触させる必要がある。そこで、このような手動式カードリーダ１０４には、カード１０２の先端部と当接して位置決めをする度当たり１０７を備えたものがある。例えば図６に示した手動式カードリーダ１０４は、接点ブロック１０５に設けた度当たり１０７でカード１０２を所定位置に位置決めするようにしている。
【０００４】
【発明が解決しようとする課題】
しかしながら、このような手動式カードリーダ１０４は、装置内に取り込んだカード１０２が使用済みなどで不要になった場合でも、後方から排出して装置内で回収することができず、再びカード挿入口に戻すしかなかった。このため、カードリーダ１０４の使用者は、カード挿入口に戻された不要カードをわざわざ窓口まで持っていき、新たなカードに更新してもらうという手間がかかっていた。
【０００５】
また、万が一、使用者がカード１０２をカードリーダ１０４から取り忘れてしまったような場合、他の者がそのカード１０２を詐取して悪用するなどのおそれもある。
【０００６】
そこで本発明は、不要となったカードあるいは手動で回収されないカード（抜き取り忘れカード）を装置内で回収することができるようにした手動式カードリーダ及び手動式ＩＣカードリーダを提供することを目的とする。
【０００７】
【課題を解決するための手段】
かかる目的を達成するため、請求項１記載の発明は、カード挿入口を形成するフレームにカード挿入方向に形成したカード挿入・取出用の凹部を設け、凹部を介してカードをカード挿入口よりカード停止位置まで移動させ、その後カードを引き抜くように構成してなる手動式カードリーダにおいて、カード停止位置にあるカードをカード挿入方向後方に排出するためのカード排出口と、カードをカード停止位置から後方のカード排出口へ搬送する搬送手段及び該搬送手段を駆動する駆動手段と、カードをカード停止位置に位置決めする位置決め手段とを設け、カード挿入口に戻さないカードあるいは手動で回収されないカードは搬送手段及び駆動手段の駆動によりカード排出口から後方排出するようにしたものである。
【０００８】
したがって、不要になりカード挿入口に戻す必要のなくなったカードを装置内に一時的に回収しておくことが可能となる。また、データ通信終了後、カード挿入口から回収されないカードを所定時間経過後にカード停止位置から後方排出し、装置内に回収することもできる。
【０００９】
また、請求項２記載の発明は、カード挿入口を形成するフレームにカード挿入方向に形成したカード挿入・取出用の凹部を設け、凹部を介してＩＣカードをカード挿入口よりカード停止位置まで移動させ、接点ブロック上の接触子をカードのコンタクト端子パターンに接触させてデータ通信し、その後ＩＣカードを引き抜くように構成してなる手動式ＩＣカードリーダにおいて、カード停止位置にあるＩＣカードをカード挿入方向後方に排出するためのカード排出口と、ＩＣカードをカード停止位置から後方のカード排出口へ搬送する搬送手段及び該搬送手段を駆動する駆動手段と、ＩＣカードをカード停止位置に位置決めする位置決め手段と、接点ブロックをＩＣカードのコンタクト端子パターンに接触離脱可能に移動させる移動手段とを設け、カード挿入口に戻さないカードあるいは手動で回収されないカードは搬送手段及び駆動手段の駆動によりカード排出口から後方排出するようにしたものである。
【００１０】
したがって、上述の手動式カードリーダと同様、不要になりカード挿入口に戻す必要のなくなったＩＣカードを装置内に一時的に回収しておくことが可能となる。また、データ通信終了後、カード挿入口から回収されないＩＣカードを所定時間経過後にカード停止位置から後方排出し、装置内に回収することができる。
【００１１】
請求項３記載の発明は、請求項２記載の手動式ＩＣカードリーダにおいて、位置決め手段は、ＩＣカードの側縁に当接してカードを停止させる当接位置と該当接位置から退避してＩＣカードの後方搬送を許容する許容位置との間を移動可能な位置決めピンとしたものである。したがって、当接位置にある位置決めピンによってＩＣカードを所定のカード停止位置に停止させることができる。しかも、該位置決めピンはＩＣカードを後方排出する場合は許容位置に移動するためカード移動の妨げとならない。
【００１２】
【発明の実施の形態】
以下、本発明の構成を図面に示す実施の形態の一例に基づいて詳細に説明する。
【００１３】
図１〜図４に、本発明の一実施形態を示す。この手動式カードリーダ１は、カード挿入口３を形成するフレーム２に図中矢印ａで示すカード挿入方向に形成したカード挿入・取出用の凹部４を設け、凹部４を介してカード５をカード挿入口３よりカード停止位置６まで移動させ、その後カード５を引き抜くように構成したものである。
【００１４】
ここで、凹部４とは、カード５を手に保持したままカード５の挿入・取出しを行い得るようフレーム２に設けたカード挿入方向に凹んだ凹状部分をいい、凹部４の両側にはカード挿入時の走行ガイドとなるガイド部２２が設けられている。この凹部４の形状は本実施形態で示したものに限らず、カード５の挿入・取出しを可能あるいは容易にするものであればよい。また、本明細書でいうカード挿入口３とは、カード走行路１４のうち凹部４の底面（奥側）の部分をいう。
【００１５】
また、本実施形態の手動式カードリーダ１の情報読み取りの対象となるカード５は、磁気ストライプを有するＩＣカードとしている。なお、カード５はこれに限られず、磁気ストライプのみを有するカード５でも良く、あるいはＩＣのみを有するカード５でも良い。
【００１６】
そして、本実施形態では、上記手動式カードリーダ１において、カード停止位置６にあるカード５をカード挿入方向後方に排出するためのカード排出口７と、カード５をカード停止位置６から後方へ搬送する搬送手段８及び該搬送手段８を駆動する駆動手段９と、カード５をカード停止位置６に位置決めする位置決め手段１０とを設け、カード挿入口３に戻さないカード５あるいは手動で回収されないカード５はカード排出口７から後方に排出するようにしている。
【００１７】
カード停止位置６は、コンタクト端子パターン５ａに接触子１１を接触させてデータ通信を行うようカード走行路１４上に設定した所定位置で、例えば図４に示すような位置でカード５を位置決め・停止させ、コンタクト端子パターン５ａを接触子１１に対向させる。
【００１８】
カード停止位置６へのカード５の位置決めは位置決め手段１０によって行う。この位置決め手段１０は、例えばカード５の側縁（カード５の進行方向側の端縁）の検出が可能な光センサである。位置決め手段１０は、カード５を検出すると駆動手段９及び搬送手段８を停止させ、カード５を所定のカード停止位置６に位置決めする。したがって、従来のように接点ブロック１２から突出した形状の度当たりは不要である。
【００１９】
カード排出口７は、カード停止位置６のカード挿入方向後方に設けた搬送口で、カード５をカード停止位置６からさらに後方へ搬送することを可能とする。カード排出口７の後段には図１に示すようにカード受け１５を設け、後方排出されたカード５をカードリーダ１内で一時的に貯留しておけるようにしている。
【００２０】
搬送手段８及びこの搬送手段８を駆動する駆動手段９は、カード５をカード停止位置６まで搬送させ、さらにカード停止位置６から後方へ搬送する手段である。搬送手段８は例えばカード５の表面と接触する搬送ローラであり、駆動手段９は搬送ローラを回転駆動する駆動モータである。駆動モータとして例えばステッピングモータを用いた場合、ステップ数を計測することによってカード５の停止位置を制御することも可能となる。
【００２１】
さらに本実施形態では、図３に示すように、搬送用ベルト１８によって同期回転する搬送ローラをカード走行方向２箇所にそれぞれ設けている。この場合、後段のローラによってカード５をカード停止位置６から後方排出することに加え、前段のローラによってカード挿入口３とカード停止位置６の間でカード５を補助的に移動させるようにしている。
【００２２】
また、本実施形態の手動式カードリーダ１は、カード情報の読み取り手段として、ＩＣカード用接点ブロック１２と、カード５の磁気データを読み取る磁気ヘッド２１を備える。磁気ヘッド２１は、カード５の磁気データを検出してカード５の挿入を検出する手段としての役割も果たしている。特に図示しないが、カード５の挿入を光センサからなるフロントセンサによって検出してもよい。
【００２３】
接点ブロック１２は、弾性を有する接触子１１をカード５のコンタクト端子パターン５ａに対し接近あるいは離反させる部材で、カード走行方向に対し斜めに移動し、データ通信状態のとき接触位置１２ａにおいて接触子１１をコンタクト端子パターン５ａに弾性接触させる。本実施形態では、図２に示すような平行リンク機構１６によりカード走行路１４と平行を保ちながら斜めに移動するように、手動式カードリーダ１を構成する２枚のフレーム２，２の間に設けている。
【００２４】
平行リンク機構１６は図２に示すように同形状の２本のリンクを備え、これらを揺動させて接点ブロック１２を平行移動させる。この場合、接点ブロック１２は、平行移動しながらカード走行路１４との距離を変化させ、接触子１１をカード５のコンタクト端子パターン５ａに接触させ、あるいは離反させる。ここで、本実施形態では、接点ブロック１２を移動手段１３によって接触位置１２ａと非接触位置１２ｂの間を移動させるようにしている。この移動手段１３は、例えばソレノイドである。さらに、図２や図３に示すように、接点ブロック１２を付勢手段１７によってカード引抜き方向（カード挿入方向ａと逆方向）に付勢するようにしてもよい。
【００２５】
接触子１１は例えば鋼線が接点ブロック１２の内部に巻かれたもので、一端を開端とすることで弾性を備え、撓曲部をカード５のコンタクト端子パターン５ａと接触するように接点ブロック１２の片側面から突出させている。このため、接触子１１はコンタクト端子パターン５ａに押圧状態で弾性接触し、接触状態を良好に保つ。
【００２６】
また本実施形態では、接点ブロック１２上に突出する動作部１９及びこの動作部１９が横切ったことを検出する検出手段２０を設け、接点ブロック１２の位置を自動検出できるようにしている。検出手段２０は、例えば発光部２０ａと受光部２０ｂを備えたフォトインタラプタであり、動作部１９は発光部２０ａと受光部２０ｂとの間に出入り可能な板状の遮蔽部材である。
【００２７】
以上のような構成の手動式カードリーダ１における動作を説明する。
【００２８】
まず、カード５をカード挿入口３から挿入すると、磁気ヘッド２１がカード５の磁気データを検出するか、もしくはカード挿入に伴いフロントセンサが作動することによって駆動手段９が駆動を開始する。また、カード５がカード走行路１４上を移動する際、磁気ストライプ内に記録された磁気データの読み取りも併せて行う。
【００２９】
なお、本手動式カードリーダ１は、カード搬送時に図示しない上位制御装置からその都度指令を出し、駆動手段９の駆動スピードを考慮することで、カード５がカード停止位置６付近で使用者の手から離れた状態で位置決め制御できるようにしてもよい。この場合、カード５が所定位置より行き過ぎても、搬送手段８を用いてカード５を所定のカード停止位置６に停止させるようにする。また、手動式カードリーダ１においては、カード５が停止した位置をカード停止位置６であると仮設定したまま動作を続行することも可能である。
【００３０】
なお、本実施形態の手動式カードリーダ１では、カード走行路１４の両側の内壁をカード搬送時のガイドとして形成している。このため、図１に示したように、カード２の中心に対し片寄り配置した搬送手段８によってもカード５を問題なく搬送することができる。
【００３１】
次に、位置決め手段１０の出力信号により駆動手段９及び搬送手段８を停止させ、カード５を停止させる。そして、カード停止後は移動手段１３を作動させ、接点ブロック１２を下降させて接触子１１をカード５のコンタクト端子パターン５ａに弾性接触させてデータ通信を行う。通信が正常に終了したら、移動手段１３を元の状態に戻して接点ブロック１２をカード５から離反させ、駆動手段９を逆回転駆動してカード５をカード挿入口３側に搬送して戻す。
【００３２】
一方、通信不良が検出されたり、カード５が不要であると判断された場合は、駆動手段９を順回転駆動し、カード５をカード排出口７から後方排出する。したがって、万が一、カード５が手動式カードリーダに置き忘れられてもカード５を装置内に回収することができるので、他の者が詐取して悪用するなどの事態を未然に防止することができる。
【００３３】
なお、上述の実施形態は本発明の好適な実施の一例ではあるがこれに限定されるものではなく本発明の要旨を逸脱しない範囲において種々変形実施可能である。例えば本実施形態では位置決め手段１０の一例として光センサを例示したが、カード５の側縁（カード５の進行方向側の端縁）に当接する位置決めピンを利用することもできる。この場合、位置決めピンは、カード側縁に当接してカード５を停止させる当接位置及びこの当接位置から退避した位置の間を移動可能に設ける。これにより、カード５をカード停止位置６から後方搬送するとき位置決めピンが排出の妨げとならない。また、カード幅方向に複数の位置決めピンを設置すればカード５を平行に位置決めすることが容易となる。このような位置決めピンを含む位置決め手段は、カード搬送の妨げとならない構成であればよい。
【００３４】
【発明の効果】
以上の説明から明らかなように、請求項１記載の手動式カードリーダによると、不要になりカード挿入口に戻す必要のなくなったカードを装置内に一時的に回収しておくことができるので、使用者にとって、不要カードをわざわざ窓口まで持っていき新たなカードに更新してもらうというような手間がかからない。
【００３５】
さらに、万が一、使用者がカードをカードリーダから取り忘れてしまったような場合は、データ通信終了後、カード挿入口から回収されないカードを所定時間経過後にカード停止位置から後方排出し、装置内に回収することができるため、他の者がそのカードを詐取して悪用するなどのおそれもない。
【００３６】
また、請求項２記載の手動式ＩＣカードリーダによると、請求項１記載の手動式カードリーダと同様、不要になりカード挿入口に戻す必要のなくなったＩＣカードを装置内に一時的に回収しておくことができるし、データ通信終了後、カード挿入口から回収されないＩＣカードを所定時間経過後にカード停止位置から後方排出し、装置内に回収することができる。
【００３７】
さらに請求項３記載の手動式ＩＣカードリーダによると、当接位置にある位置決めピンによってＩＣカードを所定のカード停止位置に停止させることができる。しかも、ＩＣカードを後方排出する場合は許容位置に移動するためカード移動の妨げとならない。
【図面の簡単な説明】
【図１】本発明の位置実施形態を示すＩＣカードリーダの側面からの縦断面図である。
【図２】図４のII-II線におけるＩＣカードリーダの縦断面図である。
【図３】ＩＣカードリーダの平面図である。
【図４】ＩＣカードリーダの簡略平面図である。
【図５】従来の手動式カードリーダの概略図である。
【図６】従来の手動式ＩＣカードリーダの概略図である。
【符号の説明】
１  手動式カードリーダ（手動式ＩＣカードリーダ）
２  フレーム
３  カード挿入口
４  凹部
５  カード
６  カード停止位置
７  カード排出口
８  搬送手段
９  駆動手段
１０  位置決め手段
【図１】
0003834451.tif 000002
【図２】
0003834451.tif 000003
【図３】
0003834451.tif 000004
【図４】
0003834451.tif 000005
【図５】
0003834451.tif 000006
【図６】
0003834451.tif 000007